(57)【要約】【課題】ダンパ要素の簡単な取り付けと容易な保定とを可能とする衛生器具継手用ダンパを提供する。【解決手段】半径方向においてアダプタないし継手の剛性ケーシング（２６；１２６）によって包囲されて前記ケーシングに水密固定された１本の弾性通水チューブピース（１４）と、半径方向において前記のケーシングとチューブピースとの間に水密取り付けされた非液体ダンパ要素（１２）とを有する、衛生器具に固定するための給水管アダプタ／継手用の圧力衝撃・騒音ダンパであって、ダンパ要素（１２）を内蔵した形状不変の二体式カプセル（１０；１１０）が分割式のケーシング（２６；１２６）内に相補係合嵌挿されていることを特徴とする。
2005538325.tif 000002
【特許請求の範囲】
【請求項１】
半径方向においてアダプタないし継手の剛性ケーシング（２６；１２６）によって包囲されて前記ケーシングに水密固定された１本の弾性通水チューブピース（１４）と、半径方向において前記のケーシングとチューブピースとの間に水密取り付けされた非液体ダンパ要素（１２）とを有する、衛生器具に固定するための給水管アダプタ／継手用の圧力衝撃・騒音ダンパであって、
ダンパ要素（１２）を内蔵した形状不変の二体式カプセル（１０；１１０）が分割式のケーシング（２６；１２６）内に相補係合嵌挿されていることを特徴とするダンパ。
【請求項２】
請求項１に記載のダンパであって、
チューブピース（１４）は各々の端部に１本のフランジ状シールビード（２０）を有し、前記のシールビードはケーシング（２６；１２６）の半径方向内側の肩（３４または３６）に密接して半径方向において前記ケーシングの周回内側面（３８または４０）に圧接され、各々のカプセル半体（１０．１または１０．２；１１０．１または１１０．２）の半径方向環状ディスク（１８）はその穴縁を以って、シールビード（２０）の、内側の肩（３４または３６）とは相反側の面に接してチューブピース（１４）を包囲していることを特徴とするダンパ。
【請求項３】
請求項２に記載のダンパであって、
チューブピース（１４）のシールビード（２０）は、流水が通り抜けるための好ましくはスロット状の壁面溝穴（２２．２）を有しかつこれらの壁面溝穴（２２．２）の外側でチューブピース（１４）を担持する円筒状のサポート管（２２）の閉環状末端部（２２．１）によって半径方向外側に向かって圧力作用を受けることを特徴とするダンパ。
【請求項４】
請求項３に記載のダンパであって、
剛性カプセル被覆されたダンパ要素（１２）と、剛性サポート管（２２）と、前記両者の間に挟着されたチューブピース（１４）とは一時的に開放されたケーシング（２６；１２６）内に嵌挿される一体式のカートリッジ（１０；１１０と１２，１４，２２）を形成することを特徴とするダンパ。
【請求項５】
ケーシング（２６；１２６）は縦断面が長方形の空洞を有している請求項４に記載のアダプタ／継手用のダンパであって、
ダンパ要素（１２）とカプセル（１０；１１０）とは互いに隣接する２つの円筒状外周面のそれぞれ一方を有し、前記の２つの円筒状外周面はサポート管（２２）と無荷重のチューブピース（１４）との共通の長手軸に対して同軸であることを特徴とするダンパ。
【請求項６】
請求項１から５までのいずれか１項に記載のダンパであって、
カプセル（１０；１１０）は同一形状の相補的な２個のカプセル半体（１０．１，１０．２；１１０．１，１１０．２）から成り、前記カプセル半体は深絞りされた金属薄板または射出成形されたプラスチックで作製されていることを特徴とするダンパ。
【請求項７】
請求項６に記載のダンパであって、
カプセル（１０）は１つの実際の半径方向断面によって、互いに段差なく、突き合わされる２個のカプセル半体（１０．１，１０．２）に分割されていることを特徴とするダンパ。
【請求項８】
請求項６に記載のダンパであって、
カプセル（１１０）は１つの実際の軸方向断面によって、１対または２対の同一のスナップ嵌め継手（１２４）によって前記カプセルの円周方向において結合される２個のカプセル半体（１１０．１，１１０．２）に分割されていることを特徴とするダンパ。
【請求項９】
継手のケーシング（２６；１２６）はカプセル（１０；１１０）が密接するための円筒状内側面と１つの半径方向端面（２７；１２７）とを有している請求項１から８までのいずれか１項に記載のダンパであって、
カプセル（１０；１１０）が密接するための、軸方向において前記半径方向端面に対向する、ケーシング（２６；１２６）の他方の半径方向端面は螺挿されたねじリング（２８；１２８）によって形成され、前記のねじリングは軸方向にずらして設けられたキャップナット用雄ねじ（３０；１３０）を備えるかまたは（図２）キャップナット（５０）のキャリアとして螺挿されるフランジリング（４８）用の雌ねじを備えていることを特徴とするダンパ。
【請求項１０】
請求項２と共に請求項９に記載のダンパであって、
ケーシング（２６；１２６）の双方の内側の肩（３４，３６）の一方（３６）と、双方の周回内側面（３８，４０）の一方（４０）とはねじリング（２８；１２８）に形成されていることを特徴とするダンパ。
【発明の詳細な説明】
【技術分野】
【０００１】
本発明は請求項１の上位概念に記載のダンパに関する。
【背景技術】
【０００２】
欧州特許出願公開第１．００２．９８４号［ＥＰ  １．００２．９８４  Ａ２］明細書（図１）から公知の冒頭に述べた類の水栓用ダンパにおいて、その一体式ケーシング（１）は拡張された内径（６）と、ダンパ要素（７）の取付けスペースを制限する半径方向端面（８，９）とを有した管状ニップルとして形成されており、また同時に壁面ローゼットのキャリアである。ダンパ要素を取り付けるためにダンパ要素は、キャップナットによって器具本体（ＤＩＮ  ＥＮ  ２００、ｐ．９、図８右―１９９０年７月版、参照）に固定するための雄ねじを備えた拡張されたニップル管を通して取付けスペース内に挿入され、その後にこのニップル管にブシュ（１０）が嵌挿されて内径が縮小され、他方のニップル管の内径と等しくされる。その後に初めてチューブピース（２）を挿入し、フランジ付きスリーブ（４と１１）によってそれを挟着固定することができる。
【０００３】
この場合、ダンパ要素の取付けとその位置保定とは煩雑であり、しかも必ずしもあらゆる寸法条件下で可能とは限らないとの点が短所である。
【特許文献１】欧州特許出願公開第１．００２．９８４号明細書
【発明の開示】
【発明が解決しようとする課題】
【０００４】
そこで本発明の目的は、ダンパ要素の簡単な取付けと容易な保定とを可能とする冒頭に述べた類の衛生器具継手用ダンパを創作することである。
【課題を解決するための手段】
【０００５】
前記課題は請求項１に記載の特徴によって解決される。ケーシングが分割可能であることによりケーシングの一方の軸方向側は広く開放され、その結果、カプセルを一時的に開いて内部に嵌め込まれた曲げ剛性カプセル内蔵ダンパ要素を弾性変形なしに軸方向からケーシング内に挿入することができる。ケーシング内にカプセルを挿入することにより両者の間に相補係合結合が生ずることから、器具継手のケーシングの外形はそれぞれ所要のダンパ要素の形状とは関係なく形成することが可能である。
【０００６】
本発明によるダンパの一連の好適な実施態様と変形態様との特徴は請求項２から１０までに記載した。（請求項４に記載したように）ダンパ要素と、サポート管と、チューブピースとを一体式のカートリッジとして形成すれば、アダプタまたは継手のケーシングの内側形状を相応して適切に形成しておけばケーシング形状が変化してもカートリッジの形状を不変のままとすることができ、したがって製造時に定まった寸法とすることができるため、特に好適である。
【発明を実施するための最良の形態】
【０００７】
以下、添付図面によって例示した、衛生器具の継手に組み込まれた本発明によるダンパの好適な２実施形態を参照して、本発明を詳細に説明する。
【０００８】
双方の実施形態の２つのダンパカートリッジは、非液体ダンパ要素１２を収容するための形状不変カプセル１０ないし１１０のそれぞれ２個の同一形状のカプセル半体１０．１と１０．２または１１０．１と１１０．２の相互結合の点で相違している。上記の非液体ダンパ要素は独立気孔を有したエラストマーから成り、その円筒管状の形状を以って、先のカプセルを一方とし、使用中に通水して流水雑音の作用を受ける弾性チューブピース１４を他方とした両者によって形成される空洞を完全に満たしている。各々のカプセル１０または１１０はそれぞれ中央で分割された円筒状外殻１６または１１６と、半径方向面に配置された互いに平行な２枚の一体式または二体式の円環ディスク１８とから成ると共にチューブピース１４の外周によって中心孔側の境界が形成されている。先の円環ディスクはチューブピースの両端に設けられたフランジ状のシールビード２０に軸方向内側で接しており、このシールビードは軸と平行な長方形状のスロット２２．２を有した円筒状の曲げ剛性サポート管２２の両端の閉環状末端部２２．１により半径方向外側に向かって圧力作用を受ける。加圧された流水はこれらのスロット２２．２を通してチューブピース１４の内周に達し、このチューブピースはダンパ要素１２と、特性曲線が互いに好適に適合されて上下に重ねられた２枚のばねのように連携する。第一の実施例において、軸に対して垂直に分割されたカプセル１０の２個のポット形のカプセル半体１０．１と１０．２とは、それらが少なくとも、一体のダンパ要素１２との摩擦結合によって該ダンパ要素に被着されることから、軸方向において段差なく互いに容易に突き合わされるが、他方、第二の実施例において、軸に沿って分割されたカプセル１１０の２個のモノコック状のカプセル半体１１０．１と１１０．２とは、図４に具体的に示したようにそれぞれフック１２４．１とそれに対応する窪み１２４．２とから成る同じスナップ嵌め継手１２４によって互いに結合されている。これらのスナップ嵌め継手は対を成してカプセル１１０の中央半径方向面または両端に配置されていてもあるいはカプセルの全長にわたって延びていてもよい。全体として、双方のダンパカートリッジはいずれも、ダンパ要素１２を内蔵したカプセル１０ないし１１０と、シールビード２０を有したチューブピース１４と、スロット２２．２を有したサポート管２２とから成る一体の構造ユニットであることがみとめられる。このユニットは一つのまとまりとして扱われ、それを包囲する器具継手のケーシング２６または１２６内に―軸に沿った中央水路３２ないし１３２に被装される図３に示唆した器具本体キャップナット用の、軸方向外側にずらして設けられた雄ねじ３０ないし１３０を備えたねじリング２８ないし１２８によって前記ケーシングが側方から水密密封される前に―挿入される。重要な点は、一方で（カートリッジのねじリング相反側に位置する）ケーシング２６ないし１２６も、他方でねじリング２８ないし１２８も、２つの鏡像的な半径方向内側の肩３４と３６とのそれぞれ一方を有すると共に２つの同様な周回内側面３８と４０とのそれぞれ一方を有し、同所に２本のシールビード２０のそれぞれ一方が接しているため、先の周回内側面に向かってサポート管２２が圧接されると同所に水密性が生ずることである。
【０００９】
ケーシング２６ないし１２６はねじリング２８ないし１２８も関与する、縦断面が長方形の空洞を有し、カートリッジは同所に正確に嵌挿されていることから、ダンパ要素１２の外周面はカプセル１０ないし１１０の内周面に密接しているのみならず、カプセルの外周面もケーシングの内周面に密接している。さらに、２枚のカプセルディスク１８の一方はケーシングの半径方向内側面２７ないし１２７に密接し、他方のディスク１８は螺嵌されたねじリング２８ないし１２８の半径方向内側面２８．１ないし１２８．１に密接している。したがって、ケーシング２６ないし１２６とねじリング２８ないし１２８によって水路３２ないし１３２の半径方向外側に形成される空洞はカートリッジによって完全に満たされている。
【００１０】
第一の実施形態のダンパは、図１に示したように、ケーシング２６と、該ケーシングの右側に配された、器具側キャップナットを螺着するために離間して設けられた雄ねじ３０を備えたねじリング２８ならびに、ケーシング２６の左側に配された、雌ねじを備えた壁面側上水管端に螺挿するための雄ねじを有した嵌め管４２とから成る継手に組込まれている。
【００１１】
第二の実施形態のダンパは、図３に示したように、類似のケーシング１２６と、該ケーシングの上側に配された、離間して設けられた雄ねじ１３０を備えた同一機能を有する類似のねじリング１２８ならびに、ケーシング１２６の下側に配された、雌ねじを備えた嵌め管１４４とから成る類似の継手に組込まれている。図３において鎖線は、この実施形態において、いわゆる単穴器具をカートリッジ形ダンパの組込まれた継手を介して壁面側アングル弁に接続することも考えられている旨を示唆している。
【００１２】
第一の実施形態のダンパは、図２に示した図１の継手の変形例であって、雄ねじ３０を備えたねじリング２８がケーシング２６に螺挿された中間リング４６とこの中間リングに螺挿されたサポートリング４８との組み合わせによって置き換えられ、このサポートリングに器具に螺着されるキャップナット５０が緩設される構造の継手に組込んで使用することも可能である。
【図面の簡単な説明】
【００１３】
【図１】ダンパカートリッジを有した第一の実施形態の継手の半分側の中心縦断面を示す図である。
【図２】継手（キャップナット付き）の１変形例の部分縦断面を示す図である。
【図３】ダンパカートリッジを有した第二の実施形態の単穴器具用継手の中心縦断面を示す図である。
【図４】図３のＳ−Ｓ線による第二の実施形態のカートリッジの断面を示す図である。
【図１】
2005538325.tif 000003
【図２】
2005538325.tif 000004
【図３】
2005538325.tif 000005
【図４】
2005538325.tif 000006
【国際調査報告】
2005538325.tif 000007
2005538325.tif 000008
2005538325.tif 000009
2005538325.tif 000010
2005538325.tif 000011
2005538325.tif 000012